(57)【要約】【課題】電気掃除機に装着して用いる集塵用ホース及び該集塵用ホースを用いて集塵する集塵装置を提供する。【解決手段】集塵装置１は、塵を飛散する対象２０を覆うカバー３と、カバー３を支持する支持具４と、カバー３に、複数の孔部をカバー３内に配して取り付けられる集塵用ホース２と、から構成される。集塵用ホース２の基端を電気掃除機１２の吸気口に取付けることで、電気掃除機１２の吸引力を利用して効率良く集塵することが可能となる。また、本実施形態の集塵装置１を構成する集塵用ホース２は、一端が電気掃除機１２の吸気口に着脱可能に取付けられ、他端が閉じ、胴部に複数の孔部が設けられている。それにより、効率良く集塵することが可能となる。【選択図】図１
2015228996.tif 000002
【特許請求の範囲】
【請求項１】
電気掃除機に装着して用いる集塵用ホースであって、
一端が電気掃除機の吸気口に着脱可能に取付けられ、他端が閉じ、胴部に複数の孔部が設けられたフレキシブルホースを備えることを特徴とする集塵用ホース。
【請求項２】
前記複数の孔部の面積の総和は、前記フレキシブルホースの断面積にほぼ等しいことを特徴とする、請求項１に記載の集塵用ホース。
【請求項３】
前記複数の孔部は、塵を飛散する対象の大きさに相当する前記フレキシブルホースの範囲内に、前記フレキシブルホースの長さ方向に等間隔に配設されることを特徴とする、請求項１又は２に記載の集塵用ホース。
【請求項４】
前記複数の孔部は直径１５ｍｍ以下の円形であり、前記間隔が３０ｍｍ以上であることを特徴とする、請求項３に記載の集塵用ホース。
【請求項５】
前記複数の孔部にハトメが留められることを特徴とする、請求項１〜４のいずれか一項に記載の集塵用ホース。
【請求項６】
飛散する塵を集める集塵装置であって、
塵を飛散する対象を覆うカバーと、
前記カバーを支持する支持具と、
前記カバーに、前記複数の孔部を前記カバー内に配して取り付けられる、請求項１〜５のいずれか一項に記載の集塵用ホースと、
を備えることを特徴とする集塵装置。
【請求項７】
前記集塵用ホースの孔部が、前記集塵用ホースに対し前記カバーと反対の側に向いていることを特徴とする、請求項６に記載の集塵装置。
【発明の詳細な説明】
【技術分野】
【０００１】
本発明は、集塵用ホース及び集塵装置に関し、特に電気掃除機に装着して用いる集塵用ホース及び該集塵用ホースを用いて集塵する集塵装置に関する。
【背景技術】
【０００２】
ペットをトリミング（毛を刈り、毛並みを整えること）すると、微細な毛が室内に飛散する。また、木工作業における研磨、やすり掛け等をすると、微細な木屑が室内に飛散する。飛散したペットの微細毛、木屑等の微細な塵は室内を汚す。また、ペットの微細毛は幼児のアレルギーの原因にもなる。そこで、例えば特許文献１には、ペットのトリミング（美容）において微細毛を集めるのに好適な美容台が開示されている。しかし、この美容台は業務用に好適であるが、自宅で使用するには適当ではない。
【０００３】
自宅において使用するためには、家庭用掃除機（以下、単に「掃除機」と言う。）を活用し、その吸引力によって集塵できること、及び掃除機を除く部材がコンパクトであることが必要である。しかし、かかる集塵装置、及びその集塵装置のための集塵用ホース（掃除機に接続するもの）は知られていなかった。
【先行技術文献】
【特許文献】
【０００４】
【特許文献１】特開２００６−２２３２３１号公報
【発明の概要】
【発明が解決しようとする課題】
【０００５】
本発明は、電気掃除機に装着して用いる集塵用ホース及び該集塵用ホースを用いて集塵する集塵装置を提供することを課題とする。
【課題を解決するための手段】
【０００６】
本発明の集塵用ホースは、
電気掃除機に装着して用いる集塵用ホースであって、
一端が電気掃除機の吸気口に着脱可能に取付けられ、他端が閉じ、胴部に複数の孔部が設けられたフレキシブルホースを備えることを特徴とする。
【０００７】
これによれば、フレキシブルホースの一端を電気掃除機に取付け、その電気掃除機を利用して塵を集めることができる。
ここで、「電気掃除機の吸気口に着脱可能」とは、電気掃除機の吸気口自体に着脱可能である場合に加え、電気掃除機の吸気口から延伸されたホースに着脱可能である場合を含む。多くの電気掃除機が、電気掃除機の吸気口から延伸されたホースを備えそのホースにスイッチを有している。かかる場合にはホースに着脱可能とすることが好ましい。
【０００８】
本発明の集塵用ホースは、
前記複数の孔部の面積の総和は、前記フレキシブルホースの断面積にほぼ等しいことを特徴とする。
【０００９】
ここで、「ほぼ等しい」とは、複数の孔部の面積の総和がフレキシブルホースの断面積の８０％〜１２５％であることを言う。
電気掃除機の吸引力は、本発明の集塵用ホースでなく、他端が開き胴部に孔部が設けられていない（他端から吸塵する）集塵用ホースに対して設計されている。その設計に合わせた吸引力で塵を集めることができる。すなわち、本発明の集塵用ホースを、電気掃除機の集塵用ホースに替えて装着することで、電気掃除機の能力に応じた集塵をすることができる。
【００１０】
本発明の集塵用ホースは、
前記複数の孔部は、塵を飛散する対象の大きさに相当する前記フレキシブルホースの範囲内に、前記フレキシブルホースの長さ方向に等間隔に配設されることを特徴とする。
【００１１】
これによれば、複数の孔部が設けられた範囲に対応する領域内から対象が飛散する塵を効率良く集めることが可能となる。
【００１２】
本発明の集塵用ホースは、
前記複数の孔部は直径１５ｍｍ以下の円形であり、前記間隔が３０ｍｍ以上であることを特徴とする。
【００１３】
これによれば、直径の小さな孔部がフレキシブルホースの変形を妨げることなく設けられた範囲に対応する領域内から対象が飛散する塵を効率良く集めることが可能となる。
【００１４】
本発明の集塵用ホースは、
前記複数の孔部にハトメが留められることを特徴とする。
【００１５】
これによれば、集塵用ホースを保護することができる。
【００１６】
本発明の集塵装置は、
飛散する塵を集める集塵装置であって、
塵を飛散する対象を覆うカバーと、
前記カバーを支持する支持具と、
前記カバーに、前記複数の孔部を前記カバー内に配して取り付けられる、上記の集塵用ホースと、
を備えることを特徴とする。
【００１７】
これによれば、カバーによって塵の飛散が防止され、かつ、集塵のための空気流が集中され、本発明の集塵用ホースを用いて効率良く集塵することができる。
【００１８】
本発明の集塵装置は、
前記集塵用ホースの孔部が、前記集塵用ホースに対し前記カバーと反対の側に向いていることを特徴とする。
【００１９】
これによれば、塵の発生する方向に孔部を向けることができる。
【発明の効果】
【００２０】
本発明の集塵用ホースによれば、掃除機に装着して集塵することが可能となる。また、本発明の集塵装置によれば、集塵用ホースを用いて効率良く集塵することが可能となる。
【図面の簡単な説明】
【００２１】
【図１】図１は、本実施形態の集塵装置の構成を示す図である。
【図２】図２は、集塵用ホースの構成を示す図である。
【発明を実施するための形態】
【００２２】
以下、本実施形態に係る集塵装置１について説明する。
【００２３】
図１に、集塵装置１の構成を示す。本実施形態では、作業台１４上でペット（塵を飛散する対象）２０をトリミングする場合において、飛散するペットの微細毛（単に塵と呼ぶ）を集塵する目的で集塵装置１を使用する例について説明する。
【００２４】
集塵装置１は、集塵用ホース２、カバー３、及び支持具４から構成される。集塵装置１は、集塵用ホース２の基端を電気掃除機１２の吸気口に取付けて、電気掃除機１２の吸引力を利用して集塵する。
【００２５】
集塵用ホース２は、ゴム、金属、樹脂等から成形されたフレキシブル（例えば蛇腹状で柔軟で自在に曲げ可能）なホースであり、その直径は一例として３５ｍｍ、長さは一例として１８００ｍｍである。集塵用ホース２の先端は閉じられ、基端は開口して成形されている。ここで、基端は先細に成形され、電気掃除機１２の吸引口に着脱可能に取付けることができる。
【００２６】
図２に、後述するカバー３に固定された状態における集塵用ホース２を示す。集塵用ホース２の胴部（先端から１３０ｍｍの部分を除く）には、幅Ｈの範囲内に等間隔ｗで複数の孔部２ａが配設されている。ここで、幅Ｈは対象２０の大きさに相当し、一例として（対象２０として中型犬を想定して）５６０ｍｍとする。間隔ｗは、孔部の数Ｎに対してｗ＝Ｈ／（Ｎ−１）であり、一例として孔部の数Ｎ＝８に対して間隔ｗ＝８０ｍｍである。
【００２７】
ここで、複数の孔部２ａの面積の総和は、集塵用ホース２の断面積にほぼ等しいとする。すなわち、集塵用ホース２の断面積Ｓに対して、個々の孔部２ａの面積Ｓ／Ｎとなるように、それぞれの孔部２ａが開口されているものとする。例えば、集塵用ホース２の直径３５ｍｍ（断面積９６２ｍｍ２）及び孔部の数Ｎ＝８に対して孔部２ａの直径１２ｍｍ（面積１２０ｍｍ２）、孔部の数Ｎ＝１２に対して孔部２ａの直径１０ｍｍ（面積８０ｍｍ２）となる。それにより、電気掃除機の設計に合わせた吸引力で塵を集めることができる。
【００２８】
ここで、Ｎ＝８の場合も、Ｎ＝１２の場合も、孔部２ａの直径は１５ｍｍ以下であり、例えば蛇腹状のフレキシブルホースの柔軟性を妨げない。またｗ＞３０ｍｍ（孔部２ａの直径の２倍以上）であり、フレキシブルホースを曲げた時に孔部が干渉する可能性が小さい。
【００２９】
集塵用ホース２は、複数の孔部２ａにそれぞれハトメを留めることで、自在な曲げによる破損から保護されている。
【００３０】
複数の孔部２ａは、図の下方（集塵用ホース２に対しカバー３と反対の側）に向いている。すなわち、塵の発生する方向に向いている。
【００３１】
カバー３は、例えば樹脂製シートを支持部材（不図示）を用いて側面視アーチ状（半円筒状）に模られたカバー体である。その側面は略半円形状を有し、一側の側面の頂部近傍に集塵用ホース２を通す孔部３ａが設けられている。カバー３は、一例として長辺約１０００ｍｍ及び短辺５００ｍｍの矩形状の開口３ｂを形成する。
【００３２】
図２に示すように、集塵用ホース２が、カバー３外から側面の孔部３ａを介して内側に挿入され、カバー３の内側の頂上にその長手方向に沿って複数（ここでは一例として４）の留め具（面ファスナ等）２ｂを用いて固定されている。このとき、複数の孔部２ａが設けられた幅Ｈの集塵用ホースの範囲がカバー３の中央に配される。それにより、複数の孔部２ａが設けられた幅Ｈの範囲に対応するカバー３の直下の領域（開口３ｂが向く領域）３ｃ内から対象２０が飛散する塵を効率良く集めることができる。
【００３３】
支持具４は、先端にカバー３が固定され、基端にクリップ等の固定具が設けられたフレキシブルなパイプ状の支持部材である。その長さは、一例として５００ｍｍとする。支持具４は、固定具を用いて作業台１４上に固定することで、カバー３を、その開口３ｂを対象２０に向けて作業台１４上に支持する。
【００３４】
例えば、支持具４として両端にクリップ状の固定具を有するフレキシブルチューブを使用し、一端を作業台１４上に固定し、他端（に設けられたクリップ）によってカバー３の中央部及びそこに固定された集塵用ホース２を把持固定してもよい。カバー３を支持するとともに、孔部２ａの方向（集塵方向）を安定させることができる。
【００３５】
なお、基端にクリップ等の固定具に代えて、十分な重量の錘を設けることで支持具を床面上に配置し、その床面上にカバーを支持することとしてもよい。
【００３６】
上述の通り構成された集塵装置１において、電気掃除機１２のスイッチを入れて作動することで、作業台１４上でペット（対象）２０をトリミング等することで飛散する微細毛等の塵を効率良く集塵することができる。
【００３７】
以上詳細に説明したように、本実施形態の集塵装置１は、塵を飛散する対象２０を覆うカバー３と、カバー３を支持する支持具４と、カバー３に、複数の孔部２ａをカバー３内に配して取り付けられる集塵用ホース２と、から構成される。集塵用ホース２の基端を電気掃除機１２の吸気口に取付けることで、電気掃除機１２の吸引力を利用して効率良く集塵することが可能となる。特に家庭用の電気掃除機１２を用いることで、自宅で簡便に集塵装置１を構成し、ペットのトリミング等において使用することが可能となる。
【００３８】
また、本実施形態の集塵装置１を構成する集塵用ホース２は、一端が電気掃除機１２の吸気口に着脱可能に取付けられ、他端が閉じ、胴部に複数の孔部２ａが設けられている。それにより、効率良く集塵することが可能となる。
【００３９】
なお、本実施形態では、ペット（対象）２０のトリミングにおいて集塵装置１を使用する例について説明したが、これに限らず、木工作業等、塵を発生するあらゆる作業において集塵するために集塵装置１及びこれを構成する集塵用ホース２を使用することができる。
【００４０】
なお、カバー３の形状として、側面視アーチ状（半円筒状）は一例にすぎず、ドーム状、傘状等、あらゆる形状を採用することができる。また、その大きさも、対象２０の大きさに対応して適当に定めることができる。同様に、複数の孔部２ａが設けられる幅Ｈの範囲も、対象２０の大きさに対応して適当に定めることができる。
【産業上の利用可能性】
【００４１】
本発明の集塵用ホース及び集塵装置は、電気掃除機を利用して効率良く集塵するのに好適である。多くの個人による利用が考えられる。
【符号の説明】
【００４２】
１    集塵装置
２    集塵用ホース
２ａ  孔部
３    カバー
３ａ  孔部
３ｂ  開口
４    支持具
１２    電気掃除機
１４    作業台
２０    ペット（対象）
【図１】
2015228996.tif 000003
【図２】
2015228996.tif 000004